(57)【要約】【課題】椅子の背もたれに安定的に配置し得る椅子カバーを提供する。【解決手段】椅子１０の背もたれ１１に取り付ける中間部材３と、椅子１０の背もたれ１１に被せて中間部材３に締結し得るカバー本体２とを備えた椅子カバー１であって、中間部材３は、椅子１０の背もたれ１１からのズレを防止し得るよう構成される。これにより、カバー本体２が椅子１０の背もたれ１１からズレて外れることがなく、カバー本体２を背もたれ１１の所定位置に安定的に配置することができる。【選択図】図１
2005066151.tif 000002
【特許請求の範囲】
【請求項１】
椅子の背もたれに取り付ける中間部材と、前記椅子の背もたれに被せて前記中間部材に締結し得るカバー本体とを備えた椅子カバーであって、前記中間部材は、椅子の背もたれからのズレを防止し得るよう構成されたことを特徴とする椅子カバー。
【請求項２】
中間部材は、椅子の背もたれに接触してズレを防止し得る帯状部と、該帯状部を環状体にするよう帯状部の両端に接続されると共に前記椅子の背もたれの大きさに対応して伸縮し得る調整部とを備えた請求項１記載の椅子カバー。
【請求項３】
中間部材は、椅子の背もたれに巻き付ける帯状部と、椅子の背もたれの大きさに対応して帯状部の両端を調整する留め具とを備えた請求項１記載の椅子カバー。
【請求項４】
椅子の背もたれに被せるカバー本体を備えた椅子カバーであって、前記カバー本体は、椅子の背もたれからのズレを防止し得るよう両端に閉止部を構成したことを特徴とする椅子カバー。
【発明の詳細な説明】
【技術分野】
【０００１】
本発明は、椅子の背もたれに被せる椅子カバーに関するものである。
【背景技術】
【０００２】
近年、パチンコ等の各遊戯場では、店内のイメージを向上させるよう、遊戯台の椅子の背もたれに、広告や文字を表記した椅子カバーを被せる場合がある。
【０００３】
このような椅子カバーは、スポンジや生地から構成された二枚のカバー片を上部及び側部で縫い合わせ、下方に椅子の背もたれに被せ得る開放口を備えて構成されている（例えば、特許文献１参照）。
【特許文献１】実願平１１−９４６２号公報
【発明の開示】
【発明が解決しようとする課題】
【０００４】
しかしながら、従来の椅子カバーを使用すると、椅子に対して使用者が座ったり、立ったりする際に、椅子カバーが背もたれからズレて外れてしまい、椅子カバーを背もたれの所定位置に安定的に配置することができないという問題があった。
【０００５】
本発明は、上述の実情に鑑み、椅子の背もたれに安定的に配置し得る椅子カバーを提供することを目的としたものである。
【課題を解決するための手段】
【０００６】
本発明の請求項１は、椅子の背もたれに取り付ける中間部材と、前記椅子の背もたれに被せて前記中間部材に締結し得るカバー本体とを備えた椅子カバーであって、前記中間部材は、椅子の背もたれからのズレを防止し得るよう構成されたことを特徴とする椅子カバー、に係るものである。
【０００７】
本発明の請求項２は、中間部材は、椅子の背もたれに接触してズレを防止し得る帯状部と、該帯状部を環状体にするよう帯状部の両端に接続されると共に前記椅子の背もたれの大きさに対応して伸縮し得る調整部とを備えた請求項１記載の椅子カバー、に係るものである。
【０００８】
本発明の請求項３は、中間部材は、椅子の背もたれに巻き付ける帯状部と、椅子の背もたれの大きさに対応して帯状部の両端を調整する留め具とを備えた請求項１記載の椅子カバー、に係るものである。
【０００９】
本発明の請求項４は、椅子の背もたれに被せるカバー本体を備えた椅子カバーであって、前記カバー本体は、椅子の背もたれからのズレを防止し得るよう両端に閉止部を構成したことを特徴とする椅子カバー、に係るものである。
【００１０】
このように、請求項１、請求項２、請求項３によれば、カバー本体は中間部材に締結されると共に、中間部材は椅子の背もたれからのズレを防止するので、椅子に対して使用者が座ったり、立ったりする場合であっても、カバー本体が椅子の背もたれからズレて外れることがなく、カバー本体を背もたれの所定位置に安定的に配置することができる。又、中間部材を介して椅子の背もたれに取り付けるので、カバー本体を椅子に直接取り付けた際に生じる皺や歪みを防止し、好適に配置することができる。
【００１１】
請求項２によれば、中間部材は、帯状部が椅子の背もたれに接触してズレを防止し得るので、椅子の背もたれに対するカバー本体のズレを一層好適に防止することができる。又、椅子の背もたれには着接手段の他の部材を追加することなく中間部材を取り付け得るので、椅子の種類や着接手段に関係なくカバー本体を安定的に配置することができる。更に、中間部材は、椅子の背もたれの大きさに対応して伸縮し得る調整部を備えるので、椅子の背もたれの大きさに関係なく配置することができる。
【００１２】
請求項３によれば、中間部材は、椅子の背もたれに巻き付ける帯状部と、椅子の背もたれの大きさに対応して帯状部の両端を留め具で留めるので、簡易な構成の留め具で中間部材を椅子の背もたれに取り付け、椅子に対するカバー本体のズレを容易に防止することができる。又、椅子の背もたれには着接手段の他の部材を追加することなく中間部材を取り付け得るので、椅子の種類や着接手段に関係なくカバー本体を安定的に配置することができる。更に、中間部材は、椅子の背もたれの大きさに対応して調整し得る留め具を備えるので、椅子の背もたれの大きさに関係なく配置することができる。
【００１３】
請求項４によれば、カバー本体は、両端に閉止部を構成して椅子の背もたれからのズレを防止し得るので、椅子に対して使用者が座ったり、立ったりする場合であっても、カバー本体が椅子の背もたれからズレて外れることがなく、カバー本体を背もたれの所定位置に安定的に配置することができる。又、カバー本体を簡易な構成の閉止部で椅子の背もたれに取り付けるので、椅子に対するカバー本体のズレを低コストで容易に防止することができる。
【発明の効果】
【００１４】
本発明の椅子カバーによれば、椅子に対して使用者が座ったり、立ったりする場合であっても、カバー本体が椅子の背もたれからズレて外れることがなく、カバー本体を背もたれの所定位置に安定的に配置することができるという優れた効果を奏し得る。
【発明を実施するための最良の形態】
【００１５】
以下、本発明の実施の形態の第一例を図示例と共に説明する。
【００１６】
図１は本発明の椅子カバーの実施の形態の第一例を示す概略図、図２は本発明の椅子カバーの実施の形態の第一例であって背もたれに中間部材を取り付けた状態を示す概略図、図３は本発明の椅子カバーの実施の形態の第一例における中間部材を示す概略図を夫々示している。
【００１７】
椅子カバー１は、カバー本体２と中間部材３とから構成されており、カバー本体２は、スポンジ主材の一面に蛍光色の生地を圧着した二枚のカバー片４を、上部及び側部で夫々縫い合わせ、且つ縫い目が外側に出ないよう折り返すことにより、外側に蛍光色の面を備えると共に下部を開放した袋状のものになっている。
【００１８】
又、カバー本体２は、内方一面の両側位置に、凸部と凹部からなる一対のボタンのうち一方５（締結手段）を備えており（図では左右両側にそれぞれ二個ずつ）、カバー本体２の外方一面には、広告等の文字や図面６がプリントされている。
【００１９】
一方、中間部材３は、所定長さを有する帯状部７と、帯状部７を環状体にするよう帯状部７の両端に縫い合わされる調整部８とを備えている。帯状部７は、合成の皮革等からなる椅子の背もたれに接触してズレを防止し得るよう、塩化ビニル、硬質ゴム等の樹脂製の素材から構成されており、帯状部７の両側には、カバー本体２のボタンの一方５に対応し得るようボタンの他方９（締結手段）を備えている。ここで、帯状部７の素材は、伸縮することなく、椅子１０の背もたれ１１の素材に対して摩擦係数が高いものなら、例えば繊維質の背もたれ１１に対して無数の突起面を備えたもの等、どのような素材や構成でもよい。
【００２０】
又、中間部材３の調整部８は、帯状部７の幅と略同じ幅を備えて伸縮可能なゴム等の素材から構成されている。ここで、調整部８が縮んだ状態（放置状態）の中間部材３の環状の内径は、椅子１０の背もたれ１１は最も小さいものに合わせて構成されている。
【００２１】
以下、本発明の実施の形態の第一例の作用を説明する。
【００２２】
第一例の椅子カバー１を使用する際には、初めに、中間部材３を椅子１０の背もたれ１１の側方周囲に掛け廻すように上方から挿入して所定位置に取り付ける。この時、中間部材３の帯状部７は、素材の摩擦係数により、椅子１０の背もたれ１１に対し面接触してズレることなく、中間部材３の調整部８は、伸縮により中間部材３を椅子１０の背もたれ１１に取り付けている。
【００２３】
次に、広告等の文字や図面６の一面が外方に向くよう、カバー本体２を椅子１０の背もたれ１１に被せ、カバー本体２のボタンの一方５を、中間部材３のボタンの他方９に接続して締結する。
【００２４】
このように、第一例によれば、カバー本体２は中間部材３に締結手段のボタン５，９により締結されると共に、中間部材３は椅子１０の背もたれ１１からのズレを防止するので、椅子１０に対して使用者が座ったり、立ったりする場合であっても、カバー本体２が椅子１０の背もたれ１１からズレて外れることがなく、カバー本体２を背もたれ１１の所定位置に安定的に配置することができる。又、中間部材３を介して椅子１０の背もたれ１１に取り付けるので、カバー本体２を椅子１０に直接取り付けた際に生じる皺や歪みを防止し、好適に配置することができる。更に、カバー本体２が椅子１０の背もたれ１１に対して大き過ぎる場合であっても中間部材３で取り付け得るので、椅子１０の背もたれ１１から外れることなく好適に配置することができる。
【００２５】
中間部材３は、帯状部７が椅子１０の背もたれ１１に接触してズレを防止し得るので、椅子１０の背もたれ１１に対するカバー本体２のズレを一層好適に防止することができる。又、椅子１０の背もたれ１１には着接手段の他の部材を追加することなく中間部材３を取り付け得るので、椅子１０の種類や着接手段に関係なくカバー本体２を安定的に配置することができる。更に、中間部材３は、椅子１０の背もたれ１１の大きさに対応して伸縮し得る調整部８を備えるので、椅子１０の背もたれ１１の大きさに関係なく配置することができる。ここで、中間部材３を全て伸縮可能な素材にした場合には、両側のボタン５，９の締結位置が変化するという問題があるが、本発明の中間部材３は、伸縮しない帯状部７と伸縮可能な調整部８を組み合わせて構成されると共に、締結手段のボタン５，９を帯状部７に設けるので、締結手段のボタン５，９の相関距離が変化することを防止し、カバー本体２を中間部材３に確実に締結することができる。
【００２６】
次に、本発明の実施の形態の第二例を図示例と共に説明する。
【００２７】
図４は本発明の椅子カバーの実施の形態の第二例における中間部材を示す概略図であり、図中、前記図１〜図３と同一のものには同じ符号を付して詳細な説明は省略する。
【００２８】
第二例の椅子カバー１２は、第一例と略同様なカバー本体２を備えると共に、第一例の中間部材３を変形したもである。第二例の中間部材１３は、所定長さを有する帯状部１４と、帯状部１４を環状体にするよう帯状部１４の両端を調整して留める留め具１５とを備えており、帯状部１４の両側には、カバー本体２のボタンの一方５に対応し得るようボタンの他方９（締結手段）を備えている。ここで、帯状部１４は、第一例と略同様に、椅子１０の背もたれ１１に接触してズレを防止し得る素材や構成を備えることが好ましい。
【００２９】
又、中間部材１３の留め具１５は、ベルト等の留め具と略同様に、他端の帯状部１４に形成された複数の孔１４ａの一つに留め金１５ａを差し込んで固定するようなバックルで構成されている。ここで、留め具１５は、帯状部１４の両側を調整して留めるならばどのような構成でもよい。
【００３０】
以下、本発明の実施の形態の第二例の作用を説明する。
【００３１】
第二例の椅子カバー１２を使用する際には、初めに、中間部材１３の帯状部１４を椅子１０の背もたれ１１の側方周囲に掛け廻し、留め具１５を留めて椅子１０の背もたれ１１の所定位置に取り付ける。この時、中間部材１３の留め具１５は、椅子１０の背もたれ１１に対してキツく留め、椅子１０の背もたれ１１に対しズレを防止している。
【００３２】
次に、第一例と略同様に、広告等の文字や図面６の一面が外方に向くよう、カバー本体２を椅子１０の背もたれ１１に被せ、カバー本体２のボタンの一方５を、中間部材１３のボタンの他方９に接続して締結する。
【００３３】
このように、第二例によれば、第一例と同様な作用効果を得ることができる。
【００３４】
又、中間部材１３は、椅子１０の背もたれ１１に巻き付ける帯状部１４と、椅子１０の背もたれ１１の大きさに対応して帯状部１４の両端を留め具１５で留めるので、簡易な構成の留め具１５で中間部材１３を椅子１０の背もたれ１１に取り付け、椅子１０に対するカバー本体２のズレを容易に防止することができる。又、椅子１０の背もたれ１１には着接手段の他の部材を追加することなく中間部材１３を取り付け得るので、椅子１０の種類や着接手段に関係なくカバー本体２を安定的に配置することができる。更に、中間部材１３は、椅子１０の背もたれ１１の大きさに対応して調整し得る留め具１５を備えるので、椅子１０の背もたれ１１の大きさに関係なく配置することができる。
【００３５】
続いて、本発明の実施の形態の第三例を図示例と共に説明する。
【００３６】
図５は、本発明の椅子カバーの実施の形態の第三例であって背もたれに中間部材を取り付けた状態を示す概略図であり、図中、前記図１〜図３と同一のものには同じ符号を付して詳細な説明は省略する。
【００３７】
第三例の椅子カバー１６は、カバー本体２の締結手段と中間部材１３の締結手段を変形したもであり、第三例の椅子カバー１６は、カバー本体１７と中間部材１８とから構成されており、カバー本体１７は、スポンジ主材の一面に蛍光色の生地を圧着した二枚のカバー片４を、上部及び側部で夫々縫い合わせ、且つ縫い目が外側に出ないよう折り返すことにより、外側に蛍光色の面を備えると共に下部を開放した袋状のものになっている。
【００３８】
又、カバー本体１７は、内方一面の両側位置に、受側テープ１９（締結手段）を備えており（図５では左右両側にそれぞれ一枚ずつ）、カバー本体１７の外方一面には、広告等の文字や図面６がプリントされている。
【００３９】
一方、中間部材１８は、所定長さを有する帯状部７と、帯状部７を環状体にするよう帯状部７の両端に縫い合わされる調整部８とを備えている。帯状部７は、合成の皮革等からなる椅子１０の背もたれ１１に接触してズレを防止し得るよう、塩化ビニル、硬質ゴム等の樹脂製の素材から構成されており、帯状部７の両側には、受側テープ１９に着脱自在に構成される係止側テープ２０（締結手段）を備えている。ここで、受側テープ１９が中間部材１８に備えられると共に、係止側テープ２０はカバー本体１７に備えられてもよい。又、帯状部７の素材は、伸縮することなく、椅子１０の背もたれ１１の素材に対して摩擦係数が高いものなら、例えば繊維質の背もたれ１１に対して無数の突起面を備えたもの等、どのような素材や構成でもよい。
【００４０】
又、中間部材１８の調整部８は、帯状部７の幅を略同じ幅を備えて伸縮可能なゴム等の素材から構成されている。ここで、調整部８が縮んだ状態（放置状態）の中間部材１８の環状の径は、椅子１０の背もたれ１１は最も小さいものに合わせて構成されている。ここで、中間部材１８は、第二例の如く、留め具１５を備えるものでもよい。
【００４１】
以下、本発明の実施の形態の第三例の作用を説明する。
【００４２】
第三例の椅子カバー１６を使用する際には、第一例と略同様に、中間部材１８を椅子１０の背もたれ１１の側方周囲に掛け廻すように上方から挿入して所定位置に取り付ける。この時、中間部材１８の帯状部７は、素材の摩擦係数により、椅子１０の背もたれ１１に対し面接触してズレることなく、中間部材１８の調整部８は、伸縮により中間部材１８を椅子１０の背もたれ１１に取り付けている。
【００４３】
次に、広告等の文字や図面６の一面が外方に向くよう、カバー本体１７を椅子１０の背もたれ１１に被せ、カバー本体１７の受側テープ１９を、中間部材１８の係止側テープ２０に接続して締結する。
【００４４】
このように、第三例によれば、第一例と略同様な作用効果を得ることができる。なお、第三例の中間部材１８に第二例の留め具１５を設けた場合には、第二例と略同様な作用効果を得ることができる。
【００４５】
続いて、本発明の実施の形態の第四例を図示例と共に説明する。
【００４６】
図６は、本発明の椅子カバーの実施の形態の第四例であって背もたれにカバー本体を被せた状態を示す概略図であり、図中、前記図１〜図３と同一のものには同じ符号を付して詳細な説明は省略する。
【００４７】
第四例の椅子カバー２１は、中間部材３を不要にすると共に、カバー本体２の構成を変形したもである。第四例の椅子カバー２１のカバー本体２２は、第一例と略同様に、スポンジ主材の一面に蛍光色の生地を圧着した二枚のカバー片４を、上部及び側部で夫々縫い合わせ、且つ縫い目が外側に出ないよう折り返すことにより、外側に蛍光色の面を備えると共に下部を開放した袋状のものになっている。
【００４８】
又、カバー本体２２は、内部一面の両側位置に、閉止部の受側テープ２３を備えると共に、内部他面の両側位置に、受側テープ２３に着脱自在に構成される閉止部の係止側テープ２４を備えており、カバー本体２２の外方一面には、広告等の文字や図面６がプリントされている。
【００４９】
以下、本発明の実施の形態の第四例の作用を説明する。
【００５０】
第四例の椅子カバー２１を使用する際には、初めに、広告等の文字や図面６の一面が外方に向くよう、カバー本体２２を椅子１０の背もたれ１１に被せ、カバー本体２２の閉止部の受側テープ２３と係止側テープ２４を両側で締結して下部の開放部分を狭くする。
【００５１】
このように、第四例によれば、カバー本体２２は、両端に閉止部の受側テープ２３及び係止側テープ２４を構成して椅子１０の背もたれ１１からのズレを防止し得るので、椅子１０に対して使用者が座ったり、立ったりする場合であっても、カバー本体２２が椅子１０の背もたれ１１からズレて外れることがなく、カバー本体２２を背もたれ１１の所定位置に安定的に配置することができる。又、カバー本体２２を簡易な構成の閉止部で椅子１０の背もたれ１１に取り付けるので、椅子１０に対するカバー本体２２のズレを低コストで容易に防止することができる。
【００５２】
なお、本発明の椅子カバーは、上述の実施の形態例に限定されるものではなく、カバー本体の形状を変形してもよいこと、中間部材は、同じ作用効果を備えるならばどのような構成でもよいこと、その他本発明の要旨を逸脱しない範囲内において種々変更を加え得ることは勿論である。
【図面の簡単な説明】
【００５３】
【図１】本発明の椅子カバーの実施の形態の第一例を示す概略図である。
【図２】本発明の椅子カバーの実施の形態の第一例であって背もたれに中間部材を取り付けた状態を示す概略図である。
【図３】本発明の椅子カバーの実施の形態の第一例における中間部材を示す概略図である。
【図４】本発明の椅子カバーの実施の形態の第二例における中間部材を示す概略図である。
【図５】本発明の椅子カバーの実施の形態の第三例であって背もたれに中間部材を取り付けた状態を示す概略図である。
【図６】本発明の椅子カバーの実施の形態の第四例であって背もたれにカバー本体を被せた状態を示す概略図である。
【符号の説明】
【００５４】
１    第一例の椅子カバー
２    カバー本体
３    中間部材
７    帯状部
８    調整部
１０    椅子
１１    背もたれ
１２    第二例の椅子カバー
１３    中間部材
１４    帯状部
１５    留め具
１６    第三例の椅子カバー
１７    カバー本体
１８    中間部材
２１    第四例の椅子カバー
２２    カバー本体
２３    受側テープ（閉止部）
２４    係止側テープ（閉止部）
【図１】
2005066151.tif 000003
【図２】
2005066151.tif 000004
【図３】
2005066151.tif 000005
【図４】
2005066151.tif 000006
【図５】
2005066151.tif 000007
【図６】
2005066151.tif 000008